(57)【要約】【課題】二つの冷却ファンで、複数の電装部品が配置される複数の経路に冷却空気を供給すると共に、少ないサーミスタで各冷却ファンの作動不良を検出できる加熱調理器を提供する。【解決手段】センサケース４０は、前側部４４上面に基板収容部５０、後側部４５下面にセンサ収容部を備える。基板収容部５０は、左側基板経路５０Ａと右側基板経路５０Ｂを有する。センサ収容部は、左側センサ経路と右側センサ経路を有する。左側基板経路５０Ａと左側センサ経路には、左筒部４２の取入口から左冷却ファンが送風する冷却空気が分配供給され、中央側に流れる。右側基板経路５０Ｂと右側センサ経路には、右筒部４３の取入口から右冷却ファンが送風する冷却空気が分配供給され、中央側に流れる。基板収容部５０の左側基板経路５０Ａにはサーミスタ３０１、センサ収容部のうち右側センサ経路にはサーミスタが設けられる。【選択図】図７
2020193769.tif 000002
【特許請求の範囲】
【請求項１】
上部が開口する筐体と、
前記筐体の中央側に設けられるグリル庫と、
前記筐体の前記上部に前記開口を閉塞するように設けられる天板と
を備えた加熱調理器において、
前記天板の下面に、前記グリル庫の上方を左右方向に跨ぐように設けられ、第一電装部品と第二電装部品を前記天板の前記下面に支持する電装部品支持部と、
前記電装部品支持部の左右方向の一端部に設けられた第一取入口に冷却空気を供給する第一冷却ファンと、
前記電装部品支持部の他端部に設けられた第二取入口に前記冷却空気を供給する第二冷却ファンと
を備え、
前記電装部品支持部は、
前記左右方向に延び、前記第一電装部品が内部に配置される第一冷却経路と、
前記左右方向に延び、且つ前記第一冷却経路の前側又は後側に並んで設けられ、前記第二電装部品が内部に配置される第二冷却経路と、
前記左右方向の中央側に設けられ、前記第一冷却経路を流れた前記冷却空気を外部に排出する第一排出部と、
前記左右方向の前記中央側に設けられ、前記第二冷却経路を流れた前記冷却空気を外部に排出する第二排出部と
を備え、
前記第一冷却経路は、
前記第一取入口側の第一経路部と、前記第二取入口側の第二経路部とを有し、
前記第二冷却経路は、
前記第一取入口側の第三経路部と、前記第二取入口側の第四経路部とを有し、
前記第一経路部と前記第三経路部には、前記第一取入口から前記冷却空気が分配供給され、前記第一排出部及び前記第二排出部に向けて流れ、
前記第二経路部と前記第四経路部には、前記第二取入口から前記冷却空気が分配供給され、前記第一排出部及び前記第二排出部に向けて流れ、
前記第一経路部及び前記第二経路部のうち一方の経路部には、当該一方の経路部を流れる前記冷却空気の温度を検出する第一サーミスタが設けられ、
前記第三経路部及び前記第四経路部のうち、前記第一冷却経路において前記第一サーミスタが設けられる前記一方の経路部側とは左右反対側の経路部には、当該左右反対側の経路部を流れる前記冷却空気の温度を検出する第二サーミスタが設けられたこと
を特徴とする加熱調理器。
【請求項２】
前記一方の経路部は、前記第一経路部であって、
前記反対側の経路部は、前記第四経路部であって、
前記第一サーミスタは、前記第一経路部において、前記第一排出部が配置される領域に設けられ、
前記第二サーミスタは、前記第四経路部において、前記第二排出部が配置される領域に設けられたこと
を特徴とする請求項１に記載の加熱調理器。
【請求項３】
前記第一電装部品は複数であって、
前記第一経路部は、前記第二経路部よりも前記左右方向に長く形成されると共に、
複数の前記第一電装部品のうち、前記第二経路部に配置される前記第一電装部品よりも多数の前記第一電装部品が前記第一経路部に配置され、
前記第一サーミスタは、前記第一経路部において、前記第一取入口から最も離れ、且つ前記第一排出部が配置される領域に設けられたこと
を特徴とする請求項２に記載の加熱調理器。
【発明の詳細な説明】
【技術分野】
【０００１】
本発明は、加熱調理器に関する。
【背景技術】
【０００２】
従来、ガラス天板の下面の前側に異物の進入を検出可能な複数の光センサを備え、当該複数の光センサのうちいずれかが異物の進入を検出した場合、コンロバーナの火力を絞ることができるコンロが知られている（例えば、特許文献１参照）。また、コンロ本体の上面を覆うガラス天板に、加熱手段の作動を指示する為の静電容量式のタッチスイッチを備えたコンロも知られている（例えば、特許文献２参照）。タッチスイッチは、ガラス天板の表面に印刷されたスイッチマークと、ガラス天板の下面において、該スイッチマークに対向した部分に近接して設けられた操作回路基板とにより構成される。
【０００３】
上記特許文献１、２に記載のコンロでは、光センサやタッチスイッチの安定的な作動を保つ為、冷却ファンから供給される空気により、光センサや操作回路基板を冷却するのが一般的である。よって、これら双方の機能を一つのコンロに具備させる場合、例えば、天板の下面に配置したケース内に、光センサと操作回路基板を配置し、冷却ファンからの冷却空気をケース内に供給して冷却することが考えられる。但し、天板の前側において、光センサやタッチスイッチを左右方向に広く配列するような場合、一個の冷却ファンでは、十分な冷却が困難であるため、コンロの筐体内に左右二個の冷却ファンを設けて、ケースに対し左右両側から冷却空気を供給して冷却するのが好ましい。この場合、ケース内には、複数の光センサを収容して冷却する為の冷却経路と、操作回路基板を収容して冷却する為の冷却経路を設け、それら各冷却経路に対して冷却空気を分配供給するのが好ましい。
【先行技術文献】
【特許文献】
【０００４】
【特許文献１】特開２０１８−１２８１６１号公報
【特許文献２】特開２００５−３０８３４１号公報
【発明の概要】
【発明が解決しようとする課題】
【０００５】
上記構成の場合、ケース内に複数の冷却経路が設けられることになるが、各冷却ファンに不具合が生じると動作が担保できない。よって、各冷却経路の温度を検出する為には、多数のサーミスタが必要となるので、サーミスタの組み付けに時間がかかると共に、コストがかかるという問題点があった。
【０００６】
本発明の目的は、二つの冷却ファンで、複数の電装部品が配置される複数の経路に冷却空気を供給すると共に、少ないサーミスタで各冷却ファンの作動不良を検出できる加熱調理器を提供することである。
【課題を解決するための手段】
【０００７】
請求項１の加熱調理器は、上部が開口する筐体と、前記筐体の中央側に設けられるグリル庫と、前記筐体の前記上部に前記開口を閉塞するように設けられる天板とを備えた加熱調理器において、前記天板の下面に、前記グリル庫の上方を左右方向に跨ぐように設けられ、第一電装部品と第二電装部品を前記天板の前記下面に支持する電装部品支持部と、前記電装部品支持部の左右方向の一端部に設けられた第一取入口に冷却空気を供給する第一冷却ファンと、前記電装部品支持部の他端部に設けられた第二取入口に前記冷却空気を供給する第二冷却ファンとを備え、前記電装部品支持部は、前記左右方向に延び、前記第一電装部品が内部に配置される第一冷却経路と、前記左右方向に延び、且つ前記第一冷却経路の前側又は後側に並んで設けられ、前記第二電装部品が内部に配置される第二冷却経路と、前記左右方向の中央側に設けられ、前記第一冷却経路を流れた前記冷却空気を外部に排出する第一排出部と、前記左右方向の前記中央側に設けられ、前記第二冷却経路を流れた前記冷却空気を外部に排出する第二排出部とを備え、前記第一冷却経路は、前記第一取入口側の第一経路部と、前記第二取入口側の第二経路部とを有し、前記第二冷却経路は、前記第一取入口側の第三経路部と、前記第二取入口側の第四経路部とを有し、前記第一経路部と前記第三経路部には、前記第一取入口から前記冷却空気が分配供給され、前記第一排出部及び前記第二排出部に向けて流れ、前記第二経路部と前記第四経路部には、前記第二取入口から前記冷却空気が分配供給され、前記第一排出部及び前記第二排出部に向けて流れ、前記第一経路部及び前記第二経路部のうち一方の経路部には、当該一方の経路部を流れる前記冷却空気の温度を検出する第一サーミスタが設けられ、前記第三経路部及び前記第四経路部のうち、前記第一冷却経路において前記第一サーミスタが設けられる前記一方の経路部側とは左右反対側の経路部には、当該左右反対側の経路部を流れる前記冷却空気の温度を検出する第二サーミスタが設けられたことを特徴とする。
【０００８】
請求項２の加熱調理器の前記一方の経路部は、前記第一経路部であって、前記反対側の経路部は、前記第四経路部であって、前記第一サーミスタは、前記第一経路部において、前記第一排出部が配置される領域に設けられ、前記第二サーミスタは、前記第四経路部において、前記第二排出部が配置される領域に設けられるとよい。
【０００９】
請求項３の加熱調理器の前記第一電装部品は複数であって、前記第一経路部は、前記第二経路部よりも前記左右方向に長く形成されると共に、複数の前記第一電装部品のうち、前記第二経路部に配置される前記第一電装部品よりも多数の前記第一電装部品が前記第一経路部に配置され、前記第一サーミスタは、前記第一経路部において、前記第一取入口から最も離れ、且つ前記第一排出部が配置される領域に設けられるとよい。
【発明の効果】
【００１０】
請求項１の加熱調理器によれば、第一冷却経路の第一経路部と第二経路部のうち一方の経路部に、第一サーミスタを設け、第二冷却経路の第三経路部と第四経路部のうち、第一冷却経路において第一サーミスタが設けられる一方の経路部側とは左右反対側の経路部に、第二サーミスタを設ける。これにより、第一冷却ファンに異常が生じた場合は、第一サーミスタの検出温度に基づき不具合を検出でき、第二冷却ファンに異常が生じた場合は、第二サーミスタの検出温度に基づき不具合を検出できる。従って、二つのサーミスタで、第一冷却ファンと第二冷却ファンの不具合を検出できるので、加熱調理器の製造コストを抑えることができる。
【００１１】
請求項２の加熱調理器によれば、第一経路部において、第一排出部が配置される領域は、冷却空気が流れる方向の下流側であって、第一電装部品を冷却した後の冷却空気が流れるので、冷却空気の温度が最も高い領域である。第一サーミスタは、そのような領域に設けられるので、第一冷却ファンに異常が生じた場合、第一サーミスタの検出温度に基づくことによって、不具合を精度よく検出できる。一方、第四経路部においても同様に、第二排出部が配置される領域は、冷却空気が流れる方向の下流側であって、第二電装部品を冷却した後の冷却空気が流れるので、冷却空気の温度が最も高い領域である。第二サーミスタは、そのような領域に設けられるので、第二冷却ファンに異常が生じた場合、第二サーミスタの検出温度に基づくことによって、不具合を精度よく検出できる。
【００１２】
請求項３の加熱調理器によれば、第一冷却経路において、第一経路部は、第二経路部よりも左右方向に長く、多数の第一電装部品が配置されている。第一経路部において、第一取入口から最も離れ、且つ第一排出部が配置される領域は、冷却空気が流れる方向の下流側端部に相当する。第一経路部の下流側端部の領域は、第二経路部の下流側端部の領域よりも冷却空気の温度は高くなる。そのような第一経路部の領域に第一サーミスタを設けるので、第一冷却ファンの不具合を精度よく検出できる。
【図面の簡単な説明】
【００１３】
【図１】コンロ１の斜視図である。
【図２】コンロ１の平面図である。
【図３】図２に示すＩ−Ｉ線矢視方向断面図である。
【図４】グリル庫１０の斜視図である。
【図５】天板３の下面に固定したセンサケース４０に対して、左ダクト部７１と右ダクト部７２を介して、左フロントパネル８０と右フロントパネル９０が接続した状態の斜視図である。
【図６】図５とは違う角度から見た斜視図である。
【図７】センサケース４０の上面側の斜視図である。
【図８】センサケース４０の下面側の斜視図である。
【図９】図５に示すＷ領域内の部分拡大図である。
【図１０】Ｗ領域内で操作部９が前方に回動した状態を示す図である。
【図１１】センサケース４０、右ダクト部７２、右フロントパネル９０の分解斜視図である。
【発明を実施するための形態】
【００１４】
以下、本発明の実施形態を説明する。以下に記載される装置の構造などは、特定的な記載がない限り、それのみに限定する趣旨ではなく、単なる説明例である。図面は、本発明が採用しうる技術的特徴を説明する為に用いられるものである。
【００１５】
図１〜図６を参照し、コンロ１の構造を説明する。図１に示すコンロ１は、ビルトインコンロである。コンロ１は筐体２と天板３を備える。天板３はガラス製である。天板３の上面左側には左バーナ４、上面右側には右バーナ５、上面後側にはグリル用の排気口７が夫々設けられる。天板３の下面には、一部透過性を有する非透過性の印刷が施される。筐体２の前面の中央部には、グリル扉８が手前側に引き出し可能に設けられる。グリル扉８は、筐体２内部に設けられるグリル庫１０（図３、図４参照）の前側のグリル開口（図示略）を開閉する。グリル扉８の前面の上部には、取手８Ａが前方に突出して設けられる。筐体２の前面において、グリル扉８の左側の上下には、化粧板６Ａ、６Ｂが取り付けられ、右側の上下には、化粧板６Ｃ、６Ｄが取り付けられる。
【００１６】
筐体２の前面から右側の化粧板６Ｃ、６Ｄを取り外すと、図５に示すように、右フロントパネル９０の前面が露出する。右フロントパネル９０の前面上部には、電源スイッチ１９が設けられる。化粧板６Ｃの前面上部には、開口６６が設けられ、該開口６６から電源スイッチ１９が前方に突出する（図１参照）。右フロントパネル９０の前面下部には、筒状の吸気通路部９５と操作部９が設けられる。吸気通路部９５は後方に延設され、その前端部には空気入口９５１が設けられる。空気入口９５１は、筐体２の底面の前側付近において下向きに開口する。操作部９は、グリル操作用であって、右フロントパネル９０の前面下部に回動可能に支持される。吸気通路部９５は、空気入口９５１から外部の空気を内側に取り入れる。
【００１７】
筐体２の前面から左側の化粧板６Ａと６Ｂを取り外すと、図５に示すように、左フロントパネル８０の前面が露出する。左フロントパネル８０の前面の略中央部には、電池ケース８３が手前側に引き出し可能に設けられる。左フロントパネル８０の前面下部には、吸気通路部８５が設けられる。吸気通路部８５は後方に延設され、その前端部には空気入口８５１が設けられる。空気入口８５１は、筐体２の底面の前側付近において下向きに開口する。吸気通路部８５は、空気入口８５１から外部の空気を内側に取り入れる。
【００１８】
図２に示すように、天板３の上面の前側部において、左バーナ４の前側には、左バーナ４を操作する為の左操作部１１が設けられ、右バーナ５の前側には、右バーナ５を操作する為の右操作部１２が設けられる。左操作部１１には、左バーナ４の点火、消火、及び火力の増減等の操作を、指先のタッチで受け付ける複数の受付部と、タイマ時間等を表示する表示部と、使用状態に応じて点灯、又は点滅する発光表示部等が設けられる。右操作部１２にも、左操作部１１と同様に、右バーナ５の操作に対応する複数の受付部、表示部、発光表示部等が設けられる。左バーナ４と右バーナ５に挟まれる中央部の前側には、グリル使用中に点灯するグリル用発光表示部１３が設けられる。左操作部１１と右操作部１２において、受付部、発光表示部、及びグリル用発光表示部１３は、天板３に印刷された透光性を有するボタン、マーク、又は記号等である。表示部は、天板３の非印刷領域であって、透明性を有する窓部である。
【００１９】
天板３の下面の前側部には、上面に設けられた左操作部１１、右操作部１２、グリル用発光表示部１３に対応するように、一枚の電装基板１００（図７参照）が接着剤、又は両面テープ等で貼着される。その電装基板１００を下方から覆うようにして、センサケース４０が固定板３Ａ（図６参照）を介して固定される。固定板３Ａは、天板３の下面に固定される。センサケース４０は、電装基板１００を内側に収容すると共に、天板３の下面に貼着された電装基板１００を下方から支持する。
【００２０】
電装基板１００の上面において、受付部に対応する位置には、指先のタッチを感知する静電容量方式の感知部が設けられ、表示部に対応する位置には、７セグ表示器が設けられ、発光表示部及びグリル用発光表示部１３に対応する位置には、ＬＥＤ等の発光部が設けられる。これらにより、左操作部１１と右操作部１２において、各受付部における指先のタッチは、電装基板１００の各感知部によって感知され、７セグ表示器による表示、及び発光部による発光は、表示部、発光表示部、及びグリル用発光表示部１３においてユーザに認識される。なお、センサケース４０の具体的構造については後述する。
【００２１】
図２に示すように、左操作部１１の後側には、平面視略円弧状のセンサ用窓部１５が設けられ、右操作部１２の後側には、平面視略円弧状のセンサ用窓部１６が設けられ、グリル用発光表示部１３の後側には、平面視略矩形状のセンサ用窓部１７が設けられる。センサ用窓部１５〜１７は透明性を有する非印刷領域であり、上方から見た場合に天板３下方を透過する。センサ用窓部１５の下方には、左から右に４つのセンサ３１〜３４が夫々配置される。センサ用窓部１６の下方には、左から右に４つのセンサ３５〜３８が夫々配置される。センサ用窓部１７の下方には、１つのセンサ３９が配置される。これら９つのセンサ３１〜３９（以下総称する場合は「センサ３０」と呼ぶ）は、上方に位置する異物までの距離を測定可能な一般的な測距センサであり、例えば赤外線センサである。これら９つのセンサ３１〜３９は、天板３の下面に固定されたセンサケース４０に収容されると共に、天板３の下面側に支持される。
【００２２】
ここで、センサ３０の構造と機能を説明する。センサ３０は、発光部４７と受光部４８（図７参照）を備える。なお、図７に示すセンサケース４０において、紙面手前側の面を上面とする。発光部４７は上方に向けて赤外光を発光する。受光部４８は、発光部４７が発光した赤外光が異物に反射した反射光を受光する。センサ３０は、受光部４８が受光した反射光の強度に基づき、三角測距方式を応用して異物までの距離を測定する。センサ３０は、対応するセンサ用窓部１５〜１７の上方に異物（例えば、ユーザの身体の一部等）が侵入した場合、その異物で反射した反射光を、センサ用窓部１５〜１７を介して受光部４８で受信し、異物までの距離を測定する。センサ３０は、測定した異物までの距離を距離信号として、コンロ１の制御部（図示略）に出力する。制御部は受信した距離信号に基づき、検出した異物の高さが天板３から所定高さ範囲内であると判断した場合に異物有りと判定し、燃焼中のコンロバーナ（左バーナ４、右バーナ５）の火力を速やかに絞る制御を行う。
【００２３】
図５、図６に示すように、センサケース４０の左端部と、左フロントパネル８０の吸気通路部８５の後端開口部（図示略）との間には、上下方向に延びる略筒状の左ダクト部７１が接続される。左ダクト部７１の内側には、冷却ファン（図示略）が取り付けられる。左ダクト部７１は、吸気通路部８５内に取り込まれた冷却空気をセンサケース４０に供給する。センサケース４０の右端部と、右フロントパネル９０の吸気通路部９５の後端開口部９５２（図１１参照）との間には、上下方向に延びる略筒状の右ダクト部７２が接続される。右ダクト部７２の内側には、右冷却ファン７５が取り付けられる。右ダクト部７２は、吸気通路部９５内に取り込まれた冷却空気をセンサケース４０に供給する。なお、左ダクト部７１と右ダクト部７２の具体的構造については後述する。
【００２４】
図４を参照し、グリル庫１０の構造を説明する。グリル庫１０は、前面が開口する略直方体状に形成される。グリル庫１０は、上火バーナ２５と下火バーナ２６を備える。上火バーナ２５と下火バーナ２６はグリルバーナである。上火バーナ２５は平面バーナであって、グリル庫１０の上壁１０１の下面略中央部に設けられる。下火バーナ２６は、平面視前方に向けて開口する略Ｕ字状（馬蹄形状）に形成され、左側炎孔部２６１と右側炎孔部（図示略）を備える。左側炎孔部２６１は、左側壁１０２の内面の高さ方向略中央部に前後方向に延設される。右側炎孔部は、右側壁１０３の内面の高さ方向略中央部に前後方向に延設される。左側壁１０２及び右側壁１０３の夫々において、左側炎孔部２６１及び右側炎孔部と略同一高さ位置には、複数のスリット状の取入口１０５が前後方向に並んで設けられる。取入口１０５は、外側からグリル庫１０内に燃焼用の空気を取り入れる。
【００２５】
上壁１０１の上部には、遮熱板２７が上方から取り付けられる。遮熱板２７は平面視略矩形状で、正面視下側に向けて開口する略コの字状に形成される。遮熱板２７と上壁１０１の間には、前後方向に延びる隙間が設けられる。遮熱板２７は、グリル庫１０使用時において天板３の温度上昇を抑制する。遮熱板２７の前側で、且つ左右方向の略中央部には、上下方向に貫通する貫通口２７１が設けられる。貫通口２７１は、平面視略矩形状に形成される。貫通口２７１には、後述するセンサケース４０の接続筒６８（図６参照）が上方から嵌り込んで接続される（図３参照）。
【００２６】
グリル庫１０の後部には、筒状のダクト部２８が設けられる。ダクト部２８は、グリル庫１０内と、上壁１０１及び遮熱板２７の間の隙間と夫々連通する。ダクト部２８は、グリル庫１０の後部から後方に対して斜め上方に延設され、その上端部には、グリル排気口２８１が設けられる。グリル排気口２８１は、天板３の排気口７の直下に配置される（図３参照）。これにより、グリル庫１０内の燃焼排気は、ダクト部２８を流れ、グリル排気口２８１と排気口７を介して外部に排出される。
【００２７】
図７、図８を参照し、センサケース４０の構造を説明する。なお、図８に示すセンサケース４０において、紙面手前側の面を下面とする。センサケース４０は、左右方向に延びる樹脂製の構造物である。センサケース４０は、本体部４１を備える。本体部４１は、平面視左右方向に延びるケース体であり、前側部４４と後側部４５を備える。
【００２８】
前側部４４の構造を説明する。図７に示すように、前側部４４は、本体部４１の前側部分であって、平面視左右方向に長い略矩形状に形成される。前側部４４の上面は、天板３の下面に対向する面である。前側部４４の上面には、基板収容部５０が設けられる。基板収容部５０は、上方に向けて開口する箱状に形成される。センサケース４０が天板３の下面に固定された状態で、基板収容部５０の内側に、天板３の下面に貼着された電装基板１００が収容される。前側部４４の下面の左端部には、左筒部４２が下方に突出して設けられ、下面の右端部には、右筒部４３が下方に突出して設けられる。
【００２９】
基板収容部５０の底面には、５つの凸部５１Ａ〜５１Ｅが突設される。凸部５１Ａは底面の左右方向略中央部、凸部５１Ｂは底面の左前角部、凸部５１Ｃは底面の右前角部、凸部５１Ｄは凸部５１Ａと５１Ｂの間で且つ後側の位置、凸部５１Ｅは凸部５１Ａと５１Ｃの間で且つ後側の位置に突設される。凸部５１Ｂは平面視前後方向に延びる帯状に形成され、基板収容部５０の内側を左右に分断する。凸部５１Ａ〜５１Ｅの夫々の上面には、弾性体（図示略）が貼着される。凸部５１Ａ〜５１Ｅの夫々の上面は、弾性体を介して、天板３の下面に貼着された電装基板１００の下面に密着する。これにより、電装基板１００は、基板収容部５０の内側において、底面から浮いた状態で下方から安定して支持される。
【００３０】
基板収容部５０の底面の左端部であって凸部５１Ｂの後側には、左流入口５２が設けられ、右端部であって凸部５１Ｃの後側には右流入口５３が設けられる。左流入口５２は左筒部４２内と連通し、右流入口５３は右筒部４３内と連通する。基板収容部５０の底面における左右方向略中央部であって、前側部分には、左右方向に並ぶ前側排出口５４Ａ、５４Ｂ（図８参照）が設けられる。基板収容部５０の中央部において、左側の前側排出口５４Ａは、凸部５１Ａよりも左側に設けられる。右側の前側排出口５４Ｂは、凸部５１Ａよりも右側に設けられる。前側排出口５４Ａ、５４Ｂは下方に向けて開口する。前側排出口５４Ａの後方には、開口部５５が設けられる。開口部５５の内側には、電装基板１００のコネクタ部１００Ａ（図８参照）が配置される。このような基板収容部５０の内側には、左側基板経路５０Ａと右側基板経路５０Ｂが形成される。左側基板経路５０Ａは、凸部５１Ａよりも左側に形成され、右側基板経路５０Ｂは、基板収容部５０の凸部５１Ａよりも右側に形成される。左側基板経路５０Ａには、左流入口５２から流入した冷却空気が流れ、前側排出口５４Ａから排出される。右側基板経路５０Ｂには、右流入口５３から流入した冷却空気が流れ、前側排出口５４Ｂから排出される。そして、左側基板経路５０Ａにおける開口部５５の後側近傍には、サーミスタ３０１が設けられる。サーミスタ３０１は、左側基板経路５０Ａの下流側端部を流れる冷却空気の温度を検出する。
【００３１】
後側部４５の構造を説明する。図８に示すように、後側部４５は、本体部４１の後側部分であって、平面視左右方向に延びる。後側部４５の上面は、天板３の下面に対向する面である。後側部４５の下面には、センサ収容部６０が設けられる。センサ収容部６０は、底面視二つの円弧が左右方向に並ぶ細長い波状であって、下方に向けて開口する箱状に形成される。センサ収容部６０は、左センサ収容部６１、右センサ収容部６２、中央センサ収容部６３を備える。左センサ収容部６１はセンサ収容部６０の左側、右センサ収容部６２はセンサ収容部６０の右側、中央センサ収容部６３はセンサ収容部６０の中央側に設けられる。左センサ収容部６１と右センサ収容部６２は、底面視後方に凹となるように略円弧状に湾曲する。中央センサ収容部６３は、底面視略矩形状に形成される。
【００３２】
左センサ収容部６１の内側には、左側から右側に向かって順に、４つのセンサ３１〜３４が固定される。センサ３１〜３４の夫々の発光部４７と受光部４８は、後側部４５の上面側に形成される筒状の凹部４５１内に露出する（図７参照）。センサケース４０が天板３の下面に固定された状態で、センサ３１〜３４は、天板３のセンサ用窓部１５の直下に支持される。左センサ収容部６１の内側には、左側センサ経路６０Ａが形成される。左側センサ経路６０Ａには、左端側から中央に向けて冷却空気が流れる。左センサ収容部６１の左端部には、前側部４４側に向けて延びる前方突出部６１１が設けられる。前方突出部６１１の底面には、上記の左流入口５２が設けられる。左流入口５２は、左筒部４２の上方に配置され、基板収容部５０と左センサ収容部６１を互いに連通する。
【００３３】
右センサ収容部６２の内側には、左側から右側に向かって順に、４つのセンサ３５〜３８が固定される。センサ３５〜３８の夫々の発光部４７と受光部４８も、後側部４５の上面側に形成される筒状の凹部４５１内に露出する（図７参照）。センサケース４０が天板３の下面に固定された状態で、センサ３５〜３８は、天板３のセンサ用窓部１６の直下に支持される。右センサ収容部６２の内側には、右側センサ経路６０Ｂが形成される。右側センサ経路６０Ｂには、右端側から中央に向けて冷却空気が流れる。右センサ収容部６２の右端部には、前側部４４側に向けて延びる前方突出部６２１が設けられる。前方突出部６２１の底面には、上記の右流入口５３が設けられる。右流入口５３は、右筒部４３の上方に配置され、基板収容部５０と右センサ収容部６２を互いに連通する。
【００３４】
中央センサ収容部６３の内側中央部には、センサ３９が固定される。センサ３９の発光部４７と受光部４８も、後側部４５の上面側に露出する（図７参照）。センサケース４０が天板３の下面に固定された状態で、センサ３９は、天板３のセンサ用窓部１７の直下に支持される。中央センサ収容部６３の内側において、センサ３９の左側に隣接する位置には、仕切壁６３１が立設される。
【００３５】
仕切壁６３１は前後方向に延び、中央センサ収容部６３の内側を、左センサ収容部６１側の左側センサ経路６０Ａと、右センサ収容部６２側の右側センサ経路６０Ｂとに仕切る。なお、右側センサ経路６０Ｂの左右方向の長さは、左側センサ経路６０Ａの左右方向の長さよりも長い。それ故、左側センサ経路６０Ａには、４つのセンサ３１〜３４が配置されているのに対し、右側センサ経路６０Ｂには、５つのセンサ３５〜３９が配置されている。また、仕切壁６３１の右側で、且つセンサ３９の後側に近接する位置には、サーミスタ３０２が設けられる。サーミスタ３０２は、右側センサ経路６０Ｂの下流側端部を流れる冷却空気の温度を検出する。なお、サーミスタ３０１、３０２は、図示外の配線を介してコンロ１の制御部に電気的に接続される。制御部は、サーミスタ３０１、３０２の検出温度に基づき、コンロ１の動作を制御可能である。
【００３６】
上記構造を備える後側部４５の下面側に対して、センサ収容部６０の内側を閉じるように、蓋部６５が複数のネジで固定される。蓋部６５は、センサ収容部６０の形状に対応するように、左蓋部６５１、右蓋部６５２、中央蓋部６５３を備える。左蓋部６５１、右蓋部６５２、中央蓋部６５３の夫々の形状は、左センサ収容部６１、右センサ収容部６２、中央センサ収容部６３の夫々の形状に対応する。左蓋部６５１の左端部には、上下方向に延びる左筒部４２が設けられる。左筒部４２の上端開口部は、左センサ収容部６１の前方突出部６１１に配置される。左筒部４２の下端開口部である空気の取入口４２１は、前方突出部６１１から下方に突出する。取入口４２１には、矩形枠状の弾性体４２２が固定される。右蓋部６５２の右端部にも、上下方向に延びる右筒部４３が設けられる。右筒部４３の上端開口部は、右センサ収容部６２の前方突出部６２１に配置される。右筒部４３の下端開口部である空気の取入口４３１は、前方突出部６２１から下方に突出する。取入口４３１には、矩形枠状の弾性体４３２が固定される。
【００３７】
中央蓋部６５３の下面には、下方に突出する略四角筒状の接続筒６８が設けられる。接続筒６８は、中央センサ収容部６３の内側と連通する。接続筒６８の下方に突出する下端部には、底面視略矩形枠状の弾性体６９が貼着される。接続筒６８の内側には、仕切壁６８１が設けられる。仕切壁６８１は、接続筒６８の内側を左右に仕切る。後側部４５の下面側に蓋部６５を固定した状態では、仕切壁６８１の下端部は、中央センサ収容部６３の仕切壁６３１の上端部に当接する。接続筒６８は、弾性体６９を介して、グリル庫１０の遮熱板２７の貫通口２７１に上方から装着可能である。接続筒６８は、貫通口２７１に装着した状態で、遮熱板２７の下側の隙間と連通する。
【００３８】
図９〜図１１を参照し、右フロントパネル９０の構造を説明する。図９に示すように、右フロントパネル９０は、正面視縦長略矩形状に形成され、前壁部９１と後方筒部９２を備える。前壁部９１は正面視上下方向に長い略矩形状に形成され、本体部９１Ａと枠部９１Ｂを備える。本体部９１Ａは前壁部９１の上側に設けられ、正面視略矩形状に形成される。本体部９１Ａは、電源スイッチ１９を前面の右上部に備える。本体部９１Ａの前面には、化粧板６Ｃ（図１参照）が取り付けられる。本体部９１Ａの背面側には、後方に突出する略円筒状の支持柱９４が設けられる（図１１参照）。支持柱９４の後端部には、後方に向けて開口する固定穴９４１が設けられる。支持柱９４の側面と、本体部９１Ａの背面との間には、平面視略三角形状の補助リブ９４２が設けられる。補助リブ９４２は、支持柱９４を補強する。
【００３９】
枠部９１Ｂは、前壁部９１の下側に設けられ、正面視略矩形枠状に形成される。枠部９１Ｂの下部の左右両側には、一対の軸支部９１１、９１２が設けられる。これら一対の軸支部９１１、９１２には、略三角柱状の操作部９の下部が回動可能に軸支される。操作部９の前面には、矩形状の開口部９Ｂが設けられ、その開口部９Ｂの内側に吸気通路部９５が配置される。操作部９の前面には、化粧板６Ｄ（図１参照）が固定される。化粧板６Ｄの上部を指で後方に押し込むと、操作部９は、右フロントパネル９０の前面に設けられたロック機構９８によるロックが外れ、下部を基点に前方に回動する。その結果、図１０に示すように、操作部９の背面側に設けられたグリル用の操作パネル９Ａが前方に引き出される。
【００４０】
後方筒部９２は、枠部９１Ｂの後部から後方に突出して設けられる。後方筒部９２は略四角筒状に形成される。後方筒部９２の後端側開口の上部には、固定板９３が設けられる。固定板９３には、本体部７３１の前面に固定する為の二つの固定穴９３１が設けられる。後方筒部９２の底面には、吸気通路部９５が設けられる。吸気通路部９５は、前後方向に延びる略四角筒状に形成される。吸気通路部９５の前端部には、その開口を塞ぐようにして、板状の閉塞部９５５が設けられ、その下側に空気入口９５１が設けられる。閉塞部９５５の下端部は、吸気通路部９５の底面の前端部よりも前方に位置する。それ故、空気入口９５１は下向きに開口し、底面視左右方向に長いスリット状に形成される。更に、閉塞部９５５の下端部の位置は、後方筒部９２の底面よりも高い。それ故、空気入口９５１は、前向きにも開口し、正面視左右方向に長いスリット状に形成される。
【００４１】
空気入口９５１の左右両側には、一対の傾斜部９６が配置される。一対の傾斜部９６は、吸気通路部９５の左右一対の側壁９５６の夫々の前端部の下側角部に設けられ、後方から前方に向けて上り傾斜する。図１１に示すように、吸気通路部９５の後端部には、後端開口部９５２が設けられる。後端開口部９５２は後方に向けて開口し、背面視略矩形状に形成される。後端開口部９５２の上端部には、上方に向けてリブ状に突出する突出部９５３が設けられる。
【００４２】
なお、詳述しないが、左フロントパネル８０も、右フロントパネル９０と同様に、前壁部８１と後方筒部８２を備える（図６参照）。後方筒部８２の底面には、吸気通路部８５が設けられる（図５参照）。吸気通路部８５の前端部には、その開口を塞ぐようにして板状の閉塞部８５５が設けられ、その下側に、空気入口８５１が設けられる。
【００４３】
図１１を参照し、右ダクト部７２の構造を説明する。右ダクト部７２は、前側ケース部７３、後側ケース部７４、右冷却ファン７５を備える。前側ケース部７３は、本体部７３１と前側流路形成部７３２を備える。本体部７３１は背面視略矩形状に形成され、右フロントパネル９０の後方筒部９２の後端側の開口部と略同一形状である。本体部７３１の前面の下側には、前方に突出する挿入筒部７３５が設けられる。挿入筒部７３５は略四角筒状に形成される。
【００４４】
前側流路形成部７３２は、本体部７３１の背面下部からやや右側に傾斜して上方に延び、本体部７３１の上端部から更に上方に突出して延びる。前側流路形成部７３２の長さ方向に直交する断面は、後方に向けて開口する略コの字状である。前側流路形成部７３２の上方に突出する部分の左側面には、左方に突出する固定片７３７が設けられる。固定片７３７には、前後方向に貫通する固定穴（図示略）が設けられる。前側流路形成部７３２の下端部には、ファン取付部７３４が設けられる。ファン取付部７３４は背面視略矩形状で、後方に向けて開口する略箱状に形成される。本体部７３１の内面であって、ファン取付部７３４の内側には、前後方向に挿通する挿通孔７３３が設けられる。挿通孔７３３は背面視略円形状に形成される。挿通孔７３３は、挿入筒部７３５の内側と連通する。
【００４５】
後側ケース部７４は、蓋状部７４１と後側流路形成部７４２を備える。蓋状部７４１は、後側ケース部７４の下部に設けられる。蓋状部７４１は、前側ケース部７３のファン取付部７３４と略同一形状で、前方に向けて開口する略箱状に形成される。蓋状部７４１の左下部には、略矩形状に形成された切欠き部７４３が設けられる。後側流路形成部７４２は、前側ケース部７３の前側流路形成部７３２と対応する形状を有し、蓋状部７４１の上部からやや右側に傾斜して上方に延びる。後側流路形成部７４２の長さ方向に直交する断面は、前方に向けて開口する略コの字状である。
【００４６】
右冷却ファン７５は、前側ケース部７３のファン取付部７３４の内側に後方から取り付けられる。右冷却ファン７５の空気の吸込口（図示略）は、挿通孔７３３側に配置される。右冷却ファン７５の空気の送風口（図示略）は、前側流路形成部７３２に向けて上方に配置される。ファン取付部７３４に右冷却ファン７５が取り付けられた前側ケース部７３に対して、後方から後側ケース部７４が取り付けられ、複数のネジで固定される。これにより、右ダクト部７２が構成される。前側流路形成部７３２と後側流路形成部７４２の内側には、右冷却ファン７５によって吸い込まれた空気が下方から上方に向かって流れる空気流路が形成される。右ダクト部７２の上端部には、流出口７２１が設けられる。流出口７２１は上方に向けて開口し、右ダクト部７２の空気流路の出口となる。
【００４７】
右ダクト部７２において、ファン取付部７３４に取り付けられた右冷却ファン７５のハーネス（図示略）は、切欠き部７４３によって形成される矩形状の開口部（図示略）から外部に引き出される。そして、この開口部は、右冷却ファン７５のケーシングの外側面によって閉塞される。開口部の周縁部とケーシングの外側面は密着している。これにより、コンロ１は、右冷却ファン７５の電気的な接続を保ちながらも、右ダクト部７２の内側の空気流路内への高温空気の侵入を防止できる。
【００４８】
なお、詳述しないが、左ダクト部７１の構造も、右ダクト部７２の構造と同様である。左ダクト部７１の内側には、左冷却ファン（図示略）が取り付けられると共に、その左冷却ファンによって吸い込まれた空気が下方から上方に向かって流れる空気流路が形成される。左ダクト部７１の上端部には、流出口７１１（図６参照）が設けられる。流出口７１１は上方に向けて開口し、左ダクト部７１の空気流路の出口となる。
【００４９】
図１１を参照し、右フロントパネル９０に対する右ダクト部７２の固定方法の一例を説明する。右フロントパネル９０の後方筒部９２の後端側の開口部に対し、該開口部を後方から閉塞するように、右ダクト部７２の前側ケース部７３の本体部７３１が位置決めされる。後方筒部９２の後端側の開口端、及び固定板９３は、本体部７３１の前面に密着する。これにより、後方筒部９２の後端側の開口部は、本体部７３１によって閉塞される。
【００５０】
さらに、右フロントパネル９０の吸気通路部９５の後端開口部９５２の内側に対し、右ダクト部７２の挿入筒部７３５が嵌り込まれる。後端開口部９５２は、本体部７３１の前面に密着する。突出部９５３は、本体部７３１の前面に密着する（図９参照）。この状態で、右フロントパネル９０に対して、右ダクト部７２が複数のネジで固定される。これにより、右フロントパネル９０の吸気通路部９５と、右ダクト部７２の内側の空気流路とが互いに連通する。よって、吸気通路部９５の空気入口９５１から右ダクト部７２の流出口７２１まで延びる吸気ダクトが形成される。
【００５１】
このように、右ダクト部７２の挿入筒部７３５が右フロントパネル９０の吸気通路部９５の後端開口部９５２の内側に嵌り込み、更にこの挿入筒部７３５を取り囲むように、右ダクト部７２の本体部７３１と、右フロントパネル９０の後方筒部９２の後端側の開口部とが密着するように構成されるので、挿入筒部７３５は二重に気密される。
【００５２】
さらに、右フロントパネル９０の本体部９１Ａの背面から後方に突出する支持柱９４の後端部の固定穴９４１に対し、右ダクト部７２の固定片７３７の固定孔が位置決めされ、ネジが締結される。これにより、右ダクト部７２において上方に突出する部分は、右フロントパネル９０の支持柱９４によって強固に支持される。なお、左フロントパネル８０への左ダクト部７１の固定構造は、右フロントパネル９０への右ダクト部７２の固定構造と同様であるので、説明を省略する。
【００５３】
図６、図１１を参照し、センサケース４０の左筒部４２及び右筒部４３と、左ダクト部７１及び右ダクト部７２との接続方法の一例を説明する。天板３は、筐体２の上部開口を閉塞するように載置される。このとき、図６に示すように、天板３の下面に固定されたセンサケース４０の左筒部４２の取入口４２１は、左ダクト部７１の流出口７１１に位置決めされ、弾性体４２２（図８参照）を介して密着して接続する。これにより、左フロントパネル８０の吸気通路部８５と、左ダクト部７１内の空気流路と、センサケース４０の左筒部４２内とを、互いに連通させることができる。一方、右筒部４３の取入口４３１は、右ダクト部７２の流出口７２１に位置決めされ、弾性体４３２（図８参照）を介して密着して接続する。これにより、右フロントパネル９０の吸気通路部９５と、右ダクト部７２内の空気流路と、センサケース４０の右筒部４３内とを、互いに連通させることができる。この状態で、天板３が筐体２の上部開口にネジで固定される。
【００５４】
図５〜図８を参照し、吸気通路部８５、９５の空気入口８５１、９５１から吸い込まれた空気がセンサケース４０に供給されるまでの流れを説明する。コンロ１において、グリル庫１０の使用時は、グリル庫１０周囲の温度が上昇する。このため、センサケース４０内に収容される電装基板１００、及び９つのセンサ３１〜３９を冷却するのが好ましい。そこで、コンロ１の制御部は、左ダクト部７１内の左冷却ファンと、右ダクト部７２内の右冷却ファン７５を共に駆動する。
【００５５】
左ダクト部７１内の左冷却ファンが駆動すると、左フロントパネル８０の前側下部において、外部の空気が空気入口８５１から吸気通路部８５内に吸い込まれる。空気入口８５１は、筐体２の底面の近傍において下向きに開口しているので、グリル庫１０周囲の高温空気が吸気通路部８５内に吸い込まれるのを効果的に防止できる。吸気通路部８５内に吸い込まれた空気は、センサケース４０に向けて供給される冷却空気として、吸気通路部８５内を後方に流れる。冷却空気は、吸気通路部８５の後端開口部（図示略）から出て、左ダクト部７１内を上方に流れる。左ダクト部７１内を流れた冷却空気は、センサケース４０の左筒部４２の取入口４２１から内側に流入する。
【００５６】
右ダクト部７２内の右冷却ファン７５が駆動すると、右フロントパネル９０の前側下部において、外部の空気が空気入口９５１から吸気通路部９５内に吸い込まれる。空気入口９５１も、筐体２の底面の近傍において下向きに開口しているので、グリル庫１０周囲の高温空気が吸気通路部９５内に吸い込まれるのを効果的に防止できる。また、上記の通り、右ダクト部７２の本体部７３１と、右フロントパネル９０の後方筒部９２の後端側の開口部とが密着していることから、右ダクト部７２の挿入筒部７３５は二重に気密される。これにより、筐体２内の高温空気が、右フロントパネル９０の後方筒部９２を介して前方に流れ、空気入口９５１に吸い込まれるのを効果的に防止できる。なお、この構成は、左フロントパネル８０側においても同様である。
【００５７】
そして、吸気通路部９５内に吸い込まれた空気は、センサケース４０に向けて供給される冷却空気として、吸気通路部９５内を後方に流れる。冷却空気は、吸気通路部９５の後端開口部９５２から出て、右ダクト部７２内を上方に流れる。右ダクト部７２内を流れた冷却空気は、センサケース４０の右筒部４３の取入口４３１から内側に流入する。
【００５８】
ここで、図１０に示すように、右フロントパネル９０において、操作部９を前側に引き出して使用している場合、操作部９の前面に固定された化粧板６Ｄは、上端側が前方に倒れて傾斜した状態となり、吸気通路部９５の空気入口９５１から前方に離間する。この場合、空気入口９５１から空気を十分に取り込むことができる。これに対し、図９に示すように、操作部９が右フロントパネル９０の枠部９１Ｂ内に収納された状態では、化粧板６Ｄは垂直方向に立った姿勢となるので、吸気通路部９５の空気入口９５１の前側を閉塞した状態となる。しかしながら、空気入口９５１の左右両側には、一対の傾斜部９６が配置されるので、化粧板６Ｄと一対の傾斜部９６の間に形成された隙間を介して、横方向から空気を十分に取り込むことができる。また、操作部９の姿勢に関わらず、空気入口９５１は下向きに開口しており、化粧板６Ｄによっては閉塞されない。よって、コンロ１は、空気入口９５１から吸気通路部９５内に空気を十分に取り入れることができる。
【００５９】
図７、図８を参照し、センサケース４０内における冷却空気の流れを説明する。左筒部４２内に流入した冷却空気は、前方突出部６１１に設けられた左流入口５２によって、本体部４１の下面側と上面側に所定の比率で分流される。一方、右筒部４３内に流入した冷却空気も、前方突出部６２１に設けられた右流入口５３によって、本体部４１の下面側と上面側に所定の比率で分流される。なお、本実施形態において、電装基板１００とセンサ３１〜３９では、センサ３１〜３９の方が耐熱性が低い。更に、センサ３１〜３９の方が、電装基板１００よりも奥側に位置するため、グリル庫１０内の上火バーナ２５からの熱の影響を受けやすい。これらの理由から、本実施形態では、センサ収容部６０に流れる空気量が、基板収容部５０に流れる空気量よりも多くなるように、左流入口５２及び右流入口５３の開口面積を決定するとよい。
【００６０】
本体部４１の下面側に分流された冷却空気の流れを説明する。図８に示すように、左筒部４２内から本体部４１の下面側に流れた冷却空気は、後側部４５の下面側に設けられたセンサ収容部６０に左端側から流入する。冷却空気は、センサ収容部６０の左側センサ経路６０Ａを左端側から中央側に向けて流れる。これにより、センサ３１〜３５が冷却空気によって冷却される。左側センサ経路６０Ａを中央側に流れた冷却空気は、中央蓋部６５３に設けられた接続筒６８を介して外部に流出する。一方、右筒部４３内から本体部４１の下面側に流れた冷却空気は、センサ収容部６０に右端側から流入する。冷却空気は、センサ収容部６０の右側センサ経路６０Ｂを右端側から中央側に向けて流れる。これにより、センサ３６〜３９が冷却空気によって冷却される。右側センサ経路６０Ｂを中央側に流れた冷却空気は、中央蓋部６５３に設けられた接続筒６８を介して外部に流出する。接続筒６８の下端部に貼着された弾性体６９が、遮熱板２７の貫通口２７１の周縁部と密着するので、接続筒６８と貫通口２７１の隙間から冷却空気が外部に漏れるのを防止できる。
【００６１】
そして、接続筒６８を介して外部に流出した冷却空気は、遮熱板２７とグリル庫１０の上壁１０１との間の隙間を後方に流れる（図３参照）。これにより、遮熱板２７とグリル庫１０の上壁１０１との間の隙間に、高温空気が留まるのを防止できるので、天板３の温度上昇を抑制できる。隙間を後方に流れた冷却空気はダクト部２８内に流入し、グリル庫１０からの燃焼排気と共に、グリル排気口２８１及び排気口７より外部に排出される。
【００６２】
本体部４１の上面側に分流された冷却空気の流れを説明する。図７に示すように、左筒部４２内から、前方突出部６１１の左流入口５２を介して後側部４５の上面側に流れた冷却空気は、基板収容部５０に左端側から流入する。冷却空気は、基板収容部５０の左側基板経路５０Ａを左端側から中央側に向けて流れる。これにより、電装基板１００の左半分が冷却空気によって冷却される。左側基板経路５０Ａを中央側に流れた冷却空気は、前側排出口５４Ａから外部に排出される。一方、右筒部４３内から、前方突出部６２１の右流入口５３を介して後側部４５の上面側に流れた冷却空気は、基板収容部５０に右端側から流入する。冷却空気は、基板収容部５０の右側基板経路５０Ｂを右端側から中央側に向けて流れる。これにより、電装基板１００の右半分が冷却空気によって冷却される。右側基板経路５０Ｂを中央側に流れた冷却空気は、前側排出口５４Ｂから外部に排出される。ここで、前側排出口５４Ａ、５４Ｂの下方には、グリル扉８の取手８Ａが位置する。前側排出口５４Ａ、５４Ｂから排出された冷却空気は、取手８Ａに向けて流れる。これにより、取手８Ａは、冷却空気によって冷却されるので、温度上昇を抑制できる。
【００６３】
図７、図８を参照し、サーミスタ３０１、３０２の検出温度による左冷却ファンと右冷却ファン７５の異常検出について説明する。図８に示すように、右側センサ経路６０Ｂには、５つのセンサ３５〜３９が配置され、左側センサ経路６０Ａよりも多くのセンサ３０を冷却することから、その下流側端部に流れる冷却空気の温度は、左側センサ経路６０Ａの下流側端部を流れる冷却空気の温度よりも高い。また、右側センサ経路６０Ｂの左右方向の長さは、左側センサ経路６０Ａの左右方向の長さよりも長く、その境となる仕切壁６３１は、センサケース４０の左右方向の中央よりも左側に位置する。そのため、左側センサ経路６０Ａよりも、右側センサ経路６０Ｂの方が、グリル庫１０の上方に位置する割合が大きいことから、グリル庫１０からの熱気によってより温められやすい。よって、センサ収容部６０のうち最も温度が高くなる領域は、右側センサ経路６０Ｂの冷却空気が流れる下流側端部である。そして、上記の通り、サーミスタ３０２は、センサ３９の近傍に設けられ、右側センサ経路６０Ｂの下流側端部に位置する。さらに、右側センサ経路６０Ｂの下流側端部には、右側センサ経路６０Ｂを流れた冷却空気を排出する為の接続筒６８が配置される。  
【００６４】
これにより、例えば、右冷却ファン７５に異常が生じた場合、右側センサ経路６０Ｂを流れる冷却空気の量が少なくなるので、サーミスタ３０２の検出温度は上昇する。制御部は、サーミスタ３０２の検出温度が所定の閾値を超えた場合、右冷却ファン７５は異常と判定し、例えば、右操作部１２の表示部において、エラー表示を行う。これにより、点検作業者等は、右冷却ファン７５に異常が生じていることを認識できるので、右冷却ファン７５の修理、交換等の速やかな対応を図ることができる。
【００６５】
一方、図７に示すように、基板収容部５０において、左側基板経路５０Ａと右側基板経路５０Ｂを仕切る凸部５１Ａは、センサケース４０の左右方向の中央よりやや右側に位置する。そのため、右側基板経路５０Ｂよりも、左側基板経路５０Ａの方が、グリル庫１０の上方に位置する割合が大きいことから、グリル庫１０からの熱気によってより温められやすい。よって、基板収容部５０のうち最も温度が高くなる領域は、左側基板経路５０Ａの冷却空気が流れる下流側端部である。サーミスタ３０２は、その左側基板経路５０Ａの下流側の端部に設けられる。左側基板経路５０Ａは、サーミスタ３０２が設けられた右側センサ経路６０Ｂとは左右反対側の経路である。
【００６６】
その左側基板経路５０Ａの下流側端部の前側の領域には、前側排出口５４Ａが配置される。それ故、サーミスタ３０１は、前側排出口５４Ａと左右方向において略同一位置であって、前側排出口５４Ａの後方に位置する。これにより、上記の右冷却ファン７５と同様に、例えば、左冷却ファンに異常が生じた場合、左側基板経路５０Ａを流れる冷却空気の量が少なくなるので、サーミスタ３０１の検出温度は上昇する。制御部は、サーミスタ３０１の検出温度が所定の閾値を超えた場合、左冷却ファンは異常と判定し、例えば、左操作部１１の表示部において、エラー表示を行う。これにより、点検作業者等は、左冷却ファンに異常が生じていることを認識できるので、左冷却ファンの修理、交換等の速やかな対応を図ることができる。
【００６７】
なお、センサ収容部６０において、サーミスタが設けられていない左側センサ経路６０Ａを流れる冷却空気の温度が上昇した場合、基板収容部５０においてサーミスタ３０１が設けられた左側基板経路５０Ａを流れる冷却空気の温度も上昇する。また、基板収容部５０において、サーミスタが設けられていない右側基板経路５０Ｂを流れる冷却空気の温度が上昇した場合、センサ収容部６０においてサーミスタ３０２が設けられた右側センサ経路６０Ｂを流れる冷却空気の温度も上昇する。従って、左側基板経路５０Ａ、右側基板経路５０Ｂ、左側センサ経路６０Ａ、右側センサ経路６０Ｂの何れの経路を流れる冷却温度の温度が上昇しても、コンロ１の制御部は、サーミスタ３０１、３０２の夫々の検出温度に基づき、左冷却ファン及び右冷却ファン７５の異常を個々に検出できる。よって、コンロ１は、少ない本数であるサーミスタ３０１、３０２により、左冷却ファン及び右冷却ファン７５の異常を個々に検出できるので、コンロ１の製造コストを抑えることができる。
【００６８】
以上説明したように、上記実施形態のコンロ１は、筐体２、グリル庫１０、天板３、センサケース４０、左冷却ファン、右冷却ファン７５を備える。センサケース４０は天板３の下面に、グリル庫１０の上方を左右方向に跨ぐように設けられ、センサ３１〜３９と電装基板１００を天板３の下面に支持する。左冷却ファンは、センサケース４０の左筒部４２の取入口４２１に冷却空気を供給する。右冷却ファン７５は、センサケース４０の右筒部４３の取入口４３１に冷却空気を供給する。センサケース４０は、基板収容部５０、センサ収容部６０、前側排出口５４Ａ、５４Ｂ、接続筒６８を備える。センサ収容部６０は左右方向に延び、９つのセンサ３１〜３９が内部に配置される。基板収容部５０は左右方向に延び、且つセンサ収容部６０の前側に並んで設けられる。基板収容部５０の内部には、電装基板１００が配置される。
【００６９】
接続筒６８は、センサ収容部６０の中央側に配置され、センサ収容部６０を流れた冷却空気を外部に排出する。前側排出口５４Ａ、５４Ｂは、基板収容部５０の中央側に配置され、基板収容部５０を流れた冷却空気を外部に排出する。センサ収容部６０は、取入口４２１側の左側センサ経路６０Ａと、取入口４３１側の右側センサ経路６０Ｂを有する。基板収容部５０は、取入口４２１側の左側基板経路５０Ａと、取入口４３１側の右側基板経路５０Ｂを有する。左側センサ経路６０Ａと左側基板経路５０Ａには、左側の取入口４２１から冷却空気が分配供給され、接続筒６８と前側排出口５４Ａ、５４Ｂに向けて流れる。右側センサ経路６０Ｂと右側基板経路５０Ｂには、右側の取入口４３１から冷却空気が分配供給され、接続筒６８と前側排出口５４Ａ、５４Ｂに向けて流れる。センサ収容部６０の右側センサ経路６０Ｂには、冷却空気の温度を検出するサーミスタ３０２が設けられる。基板収容部５０の左側基板経路５０Ａには、冷却空気の温度を検出するサーミスタ３０１が設けられる。
【００７０】
これらの構成により、コンロ１は、右冷却ファン７５に異常が生じた場合、サーミスタ３０２の検出温度に基づき不具合を検出でき、左冷却ファンに異常が生じた場合は、サーミスタ３０１の検出温度に基づき不具合を検出できる。従って、二つのサーミスタ３０１、３０２で、左冷却ファンと右冷却ファン７５の不具合を個々に検出できるので、コンロ１の製造コストを抑えることができる。
【００７１】
上記説明において、コンロ１は本発明の「加熱調理器」の一例である。センサケース４０は本発明の「電装部品支持部」の一例である。センサ３１〜３９は本発明の「第一電装部品」の一例である。電装基板１００は本発明の「第二電装部品」の一例である。右冷却ファン７５は本発明の「第一冷却ファン」、左冷却ファンは本発明の「第二冷却ファン」の一例である。センサ収容部６０（左側センサ経路６０Ａと右側センサ経路６０Ｂ）は、本発明の「第一冷却経路」の一例である。基板収容部５０（左側基板経路５０Ａと右側基板経路５０Ｂ）は、本発明の「第二冷却経路」の一例である。接続筒６８は、本発明の「第一排出部」の一例であり、前側排出口５４Ａ、５４Ｂは、本発明の「第二排出部」の一例である。左側センサ経路６０Ａは本発明の「第一経路部」、右側センサ経路６０Ｂは本発明の「第二経路部」の一例である。左側基板経路５０Ａは本発明の「第三経路部」の一例、右側基板経路５０Ｂは本発明の「第四経路部」の一例である。サーミスタ３０１は本発明の「第二サーミスタ」、サーミスタ３０２は本発明の「第一サーミスタ」の一例である。
【００７２】
なお、本発明は上記実施形態に限定されるものではなく、種々の変更が可能である。上記実施形態のセンサケース４０は、二種類の電装部品、即ち、センサ３１〜３９と電装基板１００を内側に収容するものであるが、その他の電装部品を収容するものであってもよい。
【００７３】
センサケース４０は、本体部４１の前側部４４の上面に基板収容部５０を設け、後側部４５の下面にセンサ収容部６０を設けるが、基板収容部５０を後側部４５の上面に、センサ収容部６０を前側部４４の下面に設けてもよい。
【００７４】
コンロ１の制御部は、サーミスタ３０２の検出温度が所定の閾値を超えた場合、右冷却ファン７５は異常と判定し、右操作部１２の表示部において、エラー表示を行うが、これに併せ、例えば、燃焼中のバーナを消火させてもよい。
【００７５】
上記実施形態は、左フロントパネル８０の空気入口８５１、及び右フロントパネル９０の空気入口９５１から外部の空気を取り込み、左ダクト部７１と右ダクト部７２を用いることで、天板３の下面に固定されたセンサケース４０にまで供給するが、外部の空気を取り込む高さ位置は、筐体２の底面より高くてもよい。
【００７６】
上記実施形態のセンサケース４０は、基板収容部５０内の経路を流れた冷却空気を前側排出口５４Ａ、５４Ｂから前側に排出し、センサ収容部６０内の経路を流れた冷却空気を接続筒６８から後側に排出するが、夫々の排出方向については種々変更可能であり、例えば、同一方向に排出してもよく、一か所の排出口からまとめて排出するようにしてもよい。また、二方向のみならず、例えば途中で分岐させて複数の方向に排出するようにしてもよい。
【００７７】
上記実施形態のコンロ１は、ビルトインコンロであるが、テーブルコンロであってもよい。また、コンロバーナの数は、上記実施形態では二つであるが、一つ、又は三つ以上であってもよい。
【００７８】
天板３上における複数のセンサ３０の配置、個数、場所についても、上記実施形態に限らず、自由に変更可能である。中央のセンサ３９は省略してもよい。センサ３０は赤外光を発光する赤外線センサであるが、異物を検出可能なセンサであればよい。
【符号の説明】
【００７９】
１    コンロ
２    筐体
３    天板
１０    グリル庫
３１〜３９    センサ
４０    センサケース
５０    基板収容部
５０Ａ    左側基板経路
５０Ｂ    右側基板経路
５４Ａ、５４Ｂ    前側排出口
６０    センサ収容部
６０Ａ    左側センサ経路
６０Ｂ    右側センサ経路
６８    接続筒
７５    右冷却ファン
１００    電装基板
３０１、３０２    サーミスタ
４２１、４３１    取入口
【図１】
2020193769.tif 000003
【図２】
2020193769.tif 000004
【図３】
2020193769.tif 000005
【図４】
2020193769.tif 000006
【図５】
2020193769.tif 000007
【図６】
2020193769.tif 000008
【図７】
2020193769.tif 000009
【図８】
2020193769.tif 000010
【図９】
2020193769.tif 000011
【図１０】
2020193769.tif 000012
【図１１】
2020193769.tif 000013